(57)【特許請求の範囲】
【請求項１】
第一シート材と第二シート材とが積層されてシート状をなしているラベルシートであって、  前記ラベルシートは、ラベル領域とポケット領域とが切り離し線を介して連接され、  前記ラベル領域は；  第一シート材に分離可能線で囲まれるラベル部が形成されているとともに、少なくともラベル部が形成されている部分が、第一シート材、粘着層、剥離層、第二シート材とがこの順に配置された層構造とされており、前記ラベル部を、前記粘着層と前記剥離層との間で分離することでラベルを得ることができ、  前記ポケット領域は；  前記第二シート材に前記切り離し線に並行する第二シート材分離線が形成され、この第二シート材分離線と前記切り離し線との間の部分は前記第一シート材、前記粘着層、前記剥離層、第二シート材がこの順に配置された層構造とされ、前記切り離し線と前記第二シート材分離線との間の一部又は全部が前記粘着層と前記剥離層との間で分離されることで、前記切り離し線と第二シート材分離線との間の部分の前記粘着層が露出され、この露出された粘着層を介して対象物に対して貼付可能となるとともに、  前記第二シート材分離線と前記切り離し線との間の部分に隣接して、第一シート材と第二シート材とが周縁部のみ前記粘着層によって接着されて袋状にされかつ第一シート材にその袋状の部分に開口を形成する開口形成線が形成されてなるポケット部が形成されている、  ことを特徴とするラベルシート。
【請求項２】
第一シート材と第二シート材と第三シート材とが積層されてシート状をなしているラベルシートであって、  第一シート材に分離可能線で囲まれるラベル部が形成されているとともに、少なくともラベル部が形成されている部分が、第一シート材、第一粘着層、剥離層、第二シート材とがこの順に配置された層構造を有し、前記ラベル部を、前記第一粘着層と前記剥離層との間で分離することでラベルを得ることができ、  かつ、前記第二シート材と前記第三シート材との縁が一致せず、第二シート材の縁部が第三シート材の縁より延出する延出部を有し、この延出部が、第一シート材、前記第一粘着層、前記剥離層、第二シート材の順に配置された層構造とされているとともに第二シート材分離線を有し、この第二シート材分離線により前記延出部の一部又は全部が第一粘着層と剥離層との間で分離されることで、前記第一粘着層の一部が露出され、この露出された第一粘着層を介して対象物に対して貼付可能となるとともに、  前記第二シート材と第三シート材とが周縁部のみ第二粘着層によって接着されて袋状にされかつ前記第一シート材から第二シート材に至る前記袋状の部分に開口を形成する開口形成線が形成されてなるポケット部が形成されている、  ことを特徴とするラベルシート。
【請求項３】
第一シート材と第二シート材と第三シート材とが積層されてシート状をなしているラベルシートであって、  第一シート材に分離可能線で囲まれるラベル部が形成されているとともに、少なくともラベル部が形成されている部分が、第一シート材、第一粘着層、剥離層、第二シート材とがこの順に配置された層構造を有し、前記ラベル部を、前記第一粘着層と前記剥離層との間で分離することでラベルを得ることができ、  前記第二シート材と第三シート材とが周縁部のみ第二粘着層によって接着されて袋状にされかつ前記第一シート材から第二シート材に至る前記袋状の部分に開口を形成する開口形成線が形成されてなるポケット部を有し、  かつ、前記第二シート材と第三シート材とが第二粘着層によって接着されている部分の一部が、第一シート材、第一粘着層、剥離層、第二シート材、第三シート材の順に配置されているとともに、その一部に前記第三シート材から第二シート材に至る第二第三シート分離線が形成され、この第二第三シート分離線によって、第二シート材及び第三シート材の一部が一体的に分離されることで、前記第一粘着層の一部が露出され、この露出された第一粘着層を介して対象物に対して貼付可能となる、  ことを特徴とするラベルシート。
【請求項４】
第一シート材の一部に第二シート材が積層されたシート状のラベルシートであって、  前記ラベルシートは、ラベル領域とポケット領域とが切り離し線を介して連接されており、  前記ラベル領域は；  第一シート材に分離可能線で囲まれるラベル部が形成されているとともに、少なくともラベル部が形成されている部分が、第一シート材、粘着層、剥離層、第二シート材とがこの順に配置された層構造とされており、前記ラベル部を、前記粘着層と前記剥離層との間で分離することでラベルを得ることができ、  前記ポケット領域は；  前記第一シート材の第二シート材が重ねられていない部分が第二シート材側に折り返され、その折り返し部分の折り返し縁以外の縁部が前記粘着層によって接着されることで袋状にされかつ前記第一シート材の折り返し部分に対面する部分に前記袋状の部分に開口を形成する開口形成線が形成されてなるポケット部を有するとともに、前記第二シート材の縁が、前記切り離し線と第一シート材の折り返し部分の折り返し先端縁との間に位置し、前記切り離し線と前記第二シート材の縁との間の部分が、第一シート材、前記粘着層、前記剥離層、前記第二シート材がこの順に配置された層構造とされ、前記切り離し線と前記第二シート材の縁との間の部分が、前記粘着層と前記剥離層との間で分離することで、前記切り離し線と前記第二シート材の縁との間の部分に位置していた前記粘着層が露出され、この露出された粘着層を介して対象物に対して貼付可能となる、  ことを特徴とするラベルシート。
【請求項５】
第一シート材の一部に第二シート材が積層されたシート状のラベルシートであって、  前記ラベルシートは、ラベル領域とポケット領域とが切り離し線を介して連接されており、  前記ラベル領域は；  第一シート材に分離可能線で囲まれるラベル部が形成されているとともに、少なくともラベル部が形成されている部分が、第一シート材、粘着層、剥離層、第二シート材とがこの順に配置された層構造とされており、前記ラベル部を、前記粘着層と前記剥離層との間で分離することでラベルを得ることができ、  前記ポケット領域は；  前記第一シート材の第二シート材が重ねられていない部分が第二シート材と反対側に折り返され、その折り返し部分の折り返し縁以外の縁部が前記とは別の他の粘着層によって接着され、前記第一シート材の折り返し部分の先端縁部を開口とする三方閉じの袋状に形成され、かつ、前記第二シート材の縁が、前記切り離し線を超えて位置し、前記第二シート材の縁と前記切り離し線との間の部分が、第一シート材、前記粘着層、前記剥離層、前記第二シート材がこの順に配置された層構造とされ、前記切り離し線と前記第二シート材の縁との間の部分の一部又は全部が、粘着層と剥離層との間で分離することで、前記切り離し線と前記第二シート材の縁との間の部分に位置していた粘着層が露出され、この露出された粘着層を介して対象物に対して貼付可能となる、  ことを特徴とするラベルシート。
【発明の詳細な説明】
【技術分野】
【０００１】
本発明は、カレンダー等に貼付して用いるスケジュール確認用のラベルが複数片面付されたラベルシートに関し、特に、カレンダーにポケット機能を付与することができる、ラベルシートに関する。
【背景技術】
【０００２】
月捲りのカレンダー等に各種の予定を記入したり、予定内容が印刷済のスケジュールラベルを貼付することで、当該予定を確認することはよく行なわれることである。例えば、家庭内に被介護者がいる場合、通院・デイサービス・ショートステイなど多岐に亘る介護サービスの予定が組まれ、被介護者はもとより介護を行う介護者もその予定を記憶しておくのは難しいことがあり、月捲りのカレンダーに、各種介護サービスに対応する情報が予め印刷されたスケジュールラベルを貼付したり、このスケジュールラベルと併用して筆記具によってカレンダーに各種介護サービスを記入したりして、カレンダーに予定を記録しておくことが行なわれている。
【０００３】
ここで、このようなカレンダーにスケジュールラベルを貼付する態様では、カレンダーとは別途の、各種予定に対応する情報が予め印刷された複数種のスケジュールラベルが面付されたラベルシートから、必要なスケジュールラベルを剥離して、カレンダーに貼付していくことが行なわれるのが通常である。
【０００４】
しかし、上記の介護サービスに関するような予定は、年初に１年分が確定するわけではなく、月単位や週単位等で、その都度カレンダーに予定を記録していく必要があり、カレンダーとは別途のラベルシートを用いる場合には、１年間という長期間に亘ってそのラベルシートを保管しなければならないが、ラベルシートは、薄いシート状のものは、年の途中で紛失してしまうことが多々ある。また、そのようなスケジュールラベルとともに筆記具などでカレンダーに何らかの記入を行なう場合に、ラベルと筆記具とが別々にあると不便である。
【０００５】
ところで、従来、カレンダーへの予定の記録をより記入の煩雑さを解消するなどする技術として、例えば、下記特許文献１や特許文献２のものが知られる。特許文献１には、予めカレンダー自体に介護サービスの内容を印刷したものが開示されている。しかし、この特許文献１の技術は、使用者がそのカレンダーしか利用することができないという欠点がある。また、特許文献１には、カレンダーとは別体のラベルシートから情報ラベルを剥離してカレンダーに貼付する態様も開示されるが、上記のとおりこの態様はラベルシートを紛失するおそれがある。
【０００６】
他方で、特許文献２には、ポケット付きラベルが開示されており、これをカレンダーに貼付することが考えられるが、特許文献２の技術のポケット付きラベルは、貼着面を対象物に張り付けると、貼着した部位、面全体が隠ぺいされるため、カレンダーに貼付するとその日付欄や図柄などが隠蔽されてしまうという欠点があり、使用可能なカレンダーが選ばれるうえ、層構造が複雑であるという欠点がある。
【先行技術文献】
【特許文献】
【０００７】
【特許文献１】特開２００２−１９２８６３号公報
【特許文献２】特開平１１−２８２３５２ 号公報
【発明の概要】
【発明が解決しようとする課題】
【０００８】
そこで、本発明の主たる課題は、カレンダーに貼付するラベルが面付されたラベルシートとしての機能を有しつつ、カレンダーに対してポケット機能を付与でき、もって、ラベルシートの紛失のおそれや、筆記具とともに保管することを容易にした、ラベルシートを提供することにある。
【課題を解決するための手段】
【０００９】
上記課題を解決した本発明は以下のとおりである。
【００１０】＜請求項１記載の発明＞  第一シート材と第二シート材とが積層されてシート状をなしているラベルシートであって、  前記ラベルシートは、ラベル領域とポケット領域とが切り離し線を介して連接され、  前記ラベル領域は；  第一シート材に分離可能線で囲まれるラベル部が形成されているとともに、少なくともラベル部が形成されている部分が、第一シート材、粘着層、剥離層、第二シート材とがこの順に配置された層構造とされており、前記ラベル部を、前記粘着層と前記剥離層との間で分離することでラベルを得ることができ、  前記ポケット領域は；  前記第二シート材に前記切り離し線に並行する第二シート材分離線が形成され、この第二シート材分離線と前記切り離し線との間の部分は前記第一シート材、前記粘着層、前記剥離層、第二シート材がこの順に配置された層構造とされ、前記切り離し線と前記第二シート材分離線との間の一部又は全部が前記粘着層と前記剥離層との間で分離されることで、前記切り離し線と第二シート材分離線との間の部分の前記粘着層が露出され、この露出された粘着層を介して対象物に対して貼付可能となるとともに、  前記第二シート材分離線と前記切り離し線との間の部分に隣接して、第一シート材と第二シート材とが周縁部のみ前記粘着層によって接着されて袋状にされかつ第一シート材にその袋状の部分に開口を形成する開口形成線が形成されてなるポケット部が形成されている、  ことを特徴とするラベルシート。【００１１】＜請求項２記載の発明＞  第一シート材と第二シート材と第三シート材とが積層されてシート状をなしているラベルシートであって、  第一シート材に分離可能線で囲まれるラベル部が形成されているとともに、少なくともラベル部が形成されている部分が、第一シート材、第一粘着層、剥離層、第二シート材とがこの順に配置された層構造を有し、前記ラベル部を、前記第一粘着層と前記剥離層との間で分離することでラベルを得ることができ、  かつ、前記第二シート材と前記第三シート材との縁が一致せず、第二シート材の縁部が第三シート材の縁より延出する延出部を有し、この延出部が、第一シート材、前記第一粘着層、前記剥離層、第二シート材の順に配置された層構造とされているとともに第二シート材分離線を有し、この第二シート材分離線により前記延出部の一部又は全部が第一粘着層と剥離層との間で分離されることで、前記第一粘着層の一部が露出され、この露出された第一粘着層を介して対象物に対して貼付可能となるとともに、  前記第二シート材と第三シート材とが周縁部のみ第二粘着層によって接着されて袋状にされかつ前記第一シート材から第二シート材に至る前記袋状の部分に開口を形成する開口形成線が形成されてなるポケット部が形成されている、  ことを特徴とするラベルシート。【００１２】＜請求項３記載の発明＞  第一シート材と第二シート材と第三シート材とが積層されてシート状をなしているラベルシートであって、  第一シート材に分離可能線で囲まれるラベル部が形成されているとともに、少なくともラベル部が形成されている部分が、第一シート材、第一粘着層、剥離層、第二シート材とがこの順に配置された層構造を有し、前記ラベル部を、前記第一粘着層と前記剥離層との間で分離することでラベルを得ることができ、  前記第二シート材と第三シート材とが周縁部のみ第二粘着層によって接着されて袋状にされかつ前記第一シート材から第二シート材に至る前記袋状の部分に開口を形成する開口形成線が形成されてなるポケット部を有し、  かつ、前記第二シート材と第三シート材とが第二粘着層によって接着されている部分の一部が、第一シート材、第一粘着層、剥離層、第二シート材、第三シート材の順に配置されているとともに、その一部に前記第三シート材から第二シート材に至る第二第三シート分離線が形成され、この第二第三シート分離線によって、第二シート材及び第三シート材の一部が一体的に分離されることで、前記第一粘着層の一部が露出され、この露出された第一粘着層を介して対象物に対して貼付可能となる、  ことを特徴とするラベルシート。【００１３】＜請求項４記載の発明＞  第一シート材の一部に第二シート材が積層されたシート状のラベルシートであって、  前記ラベルシートは、ラベル領域とポケット領域とが切り離し線を介して連接されており、  前記ラベル領域は；  第一シート材に分離可能線で囲まれるラベル部が形成されているとともに、少なくともラベル部が形成されている部分が、第一シート材、粘着層、剥離層、第二シート材とがこの順に配置された層構造とされており、前記ラベル部を、前記粘着層と前記剥離層との間で分離することでラベルを得ることができ、  前記ポケット領域は；  前記第一シート材の第二シート材が重ねられていない部分が第二シート材側に折り返され、その折り返し部分の折り返し縁以外の縁部が前記粘着層によって接着されることで袋状にされかつ前記第一シート材の折り返し部分に対面する部分に前記袋状の部分に開口を形成する開口形成線が形成されてなるポケット部を有するとともに、前記第二シート材の縁が、前記切り離し線と第一シート材の折り返し部分の折り返し先端縁との間に位置し、前記切り離し線と前記第二シート材の縁との間の部分が、第一シート材、前記粘着層、前記剥離層、前記第二シート材がこの順に配置された層構造とされ、前記切り離し線と前記第二シート材の縁との間の部分が、前記粘着層と前記剥離層との間で分離することで、前記切り離し線と前記第二シート材の縁との間の部分に位置していた前記粘着層が露出され、この露出された粘着層を介して対象物に対して貼付可能となる、  ことを特徴とするラベルシート。【００１４】＜請求項５記載の発明＞  第一シート材の一部に第二シート材が積層されたシート状のラベルシートであって、  前記ラベルシートは、ラベル領域とポケット領域とが切り離し線を介して連接されており、  前記ラベル領域は；  第一シート材に分離可能線で囲まれるラベル部が形成されているとともに、少なくともラベル部が形成されている部分が、第一シート材、粘着層、剥離層、第二シート材とがこの順に配置された層構造とされており、前記ラベル部を、前記粘着層と前記剥離層との間で分離することでラベルを得ることができ、  前記ポケット領域は；  前記第一シート材の第二シート材が重ねられていない部分が第二シート材と反対側に折り返され、その折り返し部分の折り返し縁以外の縁部が前記とは別の他の粘着層によって接着され、前���第一シート材の折り返し部分の先端縁部を開口とする三方閉じの袋状に形成され、かつ、前記第二シート材の縁が、前記切り離し線を超えて位置し、前記第二シート材の縁と前記切り離し線との間の部分が、第一シート材、前記粘着層、前記剥離層、前記第二シート材がこの順に配置された層構造とされ、前記切り離し線と前記第二シート材の縁との間の部分の一部又は全部が、粘着層と剥離層との間で分離することで、前記切り離し線と前記第二シート材の縁との間の部分に位置していた粘着層が露出され、この露出された粘着層を介して対象物に対して貼付可能となる、  ことを特徴とするラベルシート。【００１５】
（作用効果）
本発明の請求項１、４、５記載の発明は、第一シート材と第二シート材が積層されたシート状をなし、ラベルを有する領域とポケット部を有するポケット領域とが分離可能に連接されている。そして、前記ポケット領域の第二シート材側において一部に粘着層を露出せしめることができるようになっており、これによってラベル領域とポケット領域を分離して、一般的なカレンダーである月捲りカレンダー等に貼着することができる。そして、このようにカレンダー等にポケット領域を貼付することでカレンダーにポケット機能を付与することができる。その一方で、分離したラベル領域には、ラベル部を剥離することでラベルを得ることができ、そのラベルに例えばスケジュールに関する情報を印刷されていれば、これをカレンダーに貼付してスケジュール管理をすることができる。そして、一部のラベルを剥離した後のラベル部がまだ残るラベル領域を前記カレンダー等に貼付したポケット領域に形成されたポケット部に入れて保管することにより、ラベルシートとして機能するラベル領域をカレンダーと一体的に保管することができ、ラベルシートを紛失することが防止される。また、そのポケット部に筆記具等を保管することで、スケジュールが印刷されたラベルと筆記具とを一緒に保管しておくことができる。
【００１６】
他方、本発明の請求項２、３記載の発明は、第一シート材、第二シート材、第三シート材が積層されてシート状をなし、第一シート材にラベル部を有し、第二シート材のみ或いは、第二シート材及び第三シート材を一体的に一部分離してカレンダー等に貼付するための粘着層を露出させることができるようになっている。さらに、第一シート材と第二シート材との間に袋状にされた空隙をも有しており、この空隙に対して、開口を形成する開口形成線が第一シート材と第二シート材とに一体的に形成されてポケット部が設けられている。したがって、本発明の請求項２及び請求項３記載の発明は、カレンダーに貼付することで、ラベルシートして機能する部分がカレンダーに貼付されて一体化させるとともに、ポケット機能も付与される。したがって、ラベルシートの紛失が防止されるとともに、ポケット部に筆記具等を入れることで、ラベルシートと筆記具等を一緒に保管することができる。
【００１７】
また、本発明の各請求項記載のラベルシートでは、カレンダー等に貼付するラベル部が形成された面と、ポケット領域をカレンダーに貼付する面とが反対面に位置する関係にありながら、ラベルとして機能させるための粘着層とポケット領域をカレンダーに貼付するための粘着層、さらにそれらの粘着層を機能させるための剥離層を一体的に形成することができる構造となっており、製造も容易である。
【発明の効果】
【００１８】
よって、本発明によれば、カレンダーに貼付するラベルが面付されたラベルシートとしての機能を有しつつ、カレンダーに対してポケット機能を付与し、このポケットを利用して、ラベルシートとして機能する部分を保管でき、もって、ラベルシートの紛失が防止される。
【図面の簡単な説明】
【００１９】
【図１】本発明の第一実施形態に係るラベルシートの平面図である。
【図２】本発明の第一実施形態に係るラベルシートの裏面図である。
【図３】本発明の第一実施形態に係るラベルシートの層構造を説明するための横断面図である。
【図４】本発明の第一実施形態に係るラベルシートの層構造を説明するための縦断面図である。
【図５】本発明の第一実施形態に係るラベルシートの粘着層を説明するための図である。
【図６】本発明の第一実施形態に係るラベルシートの剥離層を説明するための図である。
【図７】本発明の第二実施形態に係るラベルシートの平面図である。
【図８】本発明の第二実施形態に係るラベルシートの裏面図である。
【図９】本発明の第二実施形態に係るラベルシートの層構造を説明するための横断面図である。
【図１０】本発明の第二実施形態に係るラベルシートの層構造を説明するための縦断面図である。
【図１１】本発明の第二実施形態に係るラベルシートの粘着層を説明するための図である。
【図１２】本発明の第三実施形態に係るラベルシートの平面図である
【図１３】本発明の第三実施形態に係るラベルシートの裏面図である。
【図１４】本発明の第三実施形態に係るラベルシートの層構造を説明するための横断面図である。
【図１５】本発明の第三実施形態に係るラベルシートの層構造を説明するための縦断面図である。
【図１６】本発明の第三実施形態に係るラベルシートの粘着層を説明するための図である。
【図１７】本発明の第四実施形態に係るラベルシートの平面図である
【図１８】本発明の第四実施形態に係るラベルシートの裏面図である
【図１９】本発明の第四実施形態に係るラベルシートの層構造を説明するための横断面図である。
【図２０】本発明の第四実施形態に係るラベルシートの層構造を説明するための縦断面図である。
【図２１】本発明の第四実施形態に係るラベルシートの粘着層を説明するための図である。
【図２２】本発明の第四実施形態に係るラベルシートの剥離層を説明するための図である。
【図２３】本発明の第五実施形態に係るラベルシートの平面図である
【図２４】本発明の第五実施形態に係るラベルシートの裏面図である
【図２５】本発明の第五実施形態に係るラベルシートの層構造を説明するための横断面図である。
【図２６】本発明の第五実施形態に係るラベルシートの層構造を説明するための縦断面図である。
【図２７】本発明の第五実施形態に係るラベルシートの粘着層を説明するための図である。
【図２８】本発明の第五実施形態に係るラベルシートの他の粘着層を説明するための図である。
【図２９】本発明の第五実施形態に係るラベルシートの剥離層を説明するための図である。
【発明を実施するための形態】
【００２０】
〔第一実施形態〕
本発明の第一実施形態を図１〜６を参照しながら説明する。図１は、本実施形態に係るラベルシートＸ１の平面図、図２は、裏面図である。図３は、図１及び図２に示されるＡ、Ｂ、Ｂ’、Ｃ、Ｄの各横断面を示す図であり、図４は、図１におけるＥ、Ｆ、Ｆ’の各縦断面を示す図である。また、図５は、粘着層１１の範囲を説明するための第一シート材１０の裏面側からみた図であり、図６は、剥離層１２の範囲を説明するための第二シート材２０の表面側からみた図である。なお、図５及び図６において、図１及び図２に示される英大文字の符号で示される各断面箇所に一致する箇所には、対応する英小文字の符号を記している。
【００２１】
第一実施形態に係るラベルシートＸ１は、第一シート材１０と第二シート材２０とが積層一体化されシート状をなしている。このラベルシートＸ１は、ラベル領域１とポケット領域２とを有し、これらが切り離し線３を介して連接されている。切り離し線３は、第一シート材１０から第二シート材２０に至る深さまで一体的に形成されたミシン目線、アンカット部を有するスリット線等であり、不意に分離することがなく、また、意図して分離しようとした際には容易に裂開して、ラベル領域１とポケット領域２とを分離することができるものである。ミシン目線は、通常のミシン目線のみならず、二重ミシン目線や、ジッパーミシン目線としてもよい。
【００２２】
第一シート材１０及び第二シート材２０は、クラフト紙、上質紙、グラシン紙、パーチメント紙、レーヨン紙、コート紙、合成紙、樹脂フィルムがラミネートされた紙等とすることができる。但し、第一シート材１０と第二シート材２０の種類は同一である必要はない。
【００２３】
他方、前記ラベル領域１には、第一シート材１０にミシン目線やスリット線等の他の部分から分離可能とする分離可能線４で囲まれる複数のラベル部５，５…が形成されており、また、特に、図３のＡ-Ａ断面、図４のＥ-Ｅ断面、さらに図５及び図６の粘着層１１及び剥離層１２の領域に示されるとおり、このラベル部５，５…が形成されている部分が、第一シート材１０、粘着層１１、剥離層１２、第二シート材２０がこの順の配置された層構造となっている。したがって、前記ラベル部５，５…を、前記分離可能線４によって分離した際には、粘着層１１と剥離層１２との間で剥離されて一方面が粘着性を示すラベルが得られる。
【００２４】
ここで、複数のラベル部５，５…には、カレンダー等に記録しておきたい各種情報が予め印刷されるなどされており、例えば、通院・デイサービス・ショートステイなど介護サービスに対応する情報が文字・図形として印刷され、カレンダーに上記ラベルを剥離して粘着面を介して貼付することで、カレンダーにその介護サービスに関する予定を記録しておくことができるようになっている。
【００２５】
他方、特に、図示例のラベルシートＸ１では、図４のＦ-Ｆ（Ｆ’-Ｆ’）断面、図５及び図６の粘着層１１及び剥離層１２の領域に示されるとおり、ラベル領域１のラベル部５，５…が形成されている部分の範囲外であって、切り離し線３の近傍以外の各周縁部１３に、剥離層１２が設けられておらず、第一シート材１０と第二シート材２０とが、この各周縁部１３において粘着層１１によって剥離不能に接着されている。このように第一シート材１０と第二シート材２０とが周縁部１３で剥離不能に接着されていると、一部のラベル部５を剥離しようとした際に、意図せず第一シート材１０と第二シート材２０とが全部分で完全に剥離してしまう事故が防止されるので望ましい。
【００２６】  一方、前記ラベル領域１に連接するポケット領域２は、第二シート材２０に切り離し線３に並行して、ミシン目線やスリット線等の第二シート材分離線６が形成されており、また、この第二シート材分離線６と切り離し線３との間の部分１４が前記第一シート材１０、粘着層１１、剥離層１２、第二シート材２０がこの順に配置された層構造となっている。図示の形態では、第二シート材分離線６は、第二シート材１０の一方縁から他方縁に至るように、前記切り離し線３と並行に直線状にスリット線が設けられた態様となっており、第二シート材２０の前記切り離し線３と前記第二シート材分離線６との間の部分１４の全部が、他の部分から分離し、かつ、前記粘着層１１と前記剥離層１２との間で剥離されるようになっている。そして、第二シート材２０におけるこの切り離し線３と前記第二シート材分離線６との間の部分１４が剥離されることで、当該部分１４において粘着層１１が露出され、この露出された粘着層１１を介して対象物に対して貼付可能となるようになる。但し、第二シート材分離線６は、必ずしも図示のように設ける必要はなく環状に形成したり、二本並行に形成してもよい。この場合、第二シート材２０における切り離し線３と前記第二シート材分離線６との間の一部が剥離されて粘着層１１が露出される。この態様でも粘着層１１が露出されるのでポケット領域２をカレンダー等に貼付することはできる。
【００２７】  他方、ポケット領域２は、さらに、前記第二シート材分離線６と前記切り離し線３との間の部分１４に隣接して、第一シート材１０と第二シート材２０とが周縁部１５のみ前記粘着層１１によって接着されて袋状にされた袋部分１６を有しており、かつその袋状の部分１６に開口を形成する開口形成線７が第一シート材１０に形成されたポケット部１７が形成されている。したがって、前記第二シート材２０における切り離し線３と前記第二シート材分離線６との間の部分１４を剥離して、カレンダーにポケット領域２を貼付した際には、前面にポケット部１７の開口形成線７が位置し、そこからポケットに対象物を挿入することが可能となる。なお、開口形成線７は、ミシン目線、スリット線、一部にアンカット部を備えるスリット線などとして形成すればよい。
【００２８】  他方、本実施形態に係るラベルシートＸ１では、特に、図３及び図４に示される断面構造、図５及び図６の粘着層１１及び剥離層１２の領域から明らかなとおり、ラベル領域１において各ラベルに粘着性を付与するための粘着層１１と、ポケット領域２においてこれをカレンダーに貼付するための粘着層１１と、ポケット部１７を形成するために第一シート材１０と第二シート材２０とを周縁部１５で接着するための粘着層１１とが、同一の層として形成されている。また、ラベル領域１において各ラベルを剥離可能にするための剥離層１２と、前記第二シート材２０における切り離し線３と第二シート材分離線６との間の部分１４を剥離可能にするための剥離層１２とが同一の層として形成されている。これら粘着層１１、剥離層１２は、適宜の粘着剤、剥離剤を各シート材１０，２０に対して、パターン印刷することで容易に形成することができる。より具体的には、第一シート材１０に適宜のパターンで粘着層１１を形成し、第二シート材２０に適宜のパターンで剥離層１２を形成した後、これらを貼り合せて積層一体化することで、本実施形態に係るラベルシートＸ１の層構造を形成することができる。切り離し線３、分離可能線４、第二シート材分離線６、開口形成線等７は、公知のミシン目線形成技術やスリット線形成技術によって、第一シート材１０と第二シート材２０とを積層したのちに、粘着層１１及び剥離層１２の形成位置に対応して適宜に形成すればよい。なお、粘着層１１の形成に用いる粘着剤は、ラベルとしての貼付機能、ポケット領域の貼付機能を確保できるものであれば、特に限定されない。例えば、既知のホットメルト系、ゴム系、ＥＶＡ系、オレフィン系、ポリエステル系、ポリアミド系、ウレタン系等の粘着剤が例示できる。また、剥離層１２の形成に用いる剥離剤は、粘着層１１に対して容易に剥離可能な状態で接着する既知のものが用いられる。例えば、シリコーン、長鎖アルキルポリマー、ポリオレフィン、アルキド樹脂、フッ素化合物等の剥離剤が例示できる。
【００２９】
以上の、本実施形態に係るラベルシートＸ１では、ポケット領域２とラベル領域１とが分離可能となっていることから、これらを分離して、ポケット領域２をカレンダーに貼付した後、分離したラベル領域１をポケット部１７に挿入すれば、ラベルを紛失することが防止される。また、ポケット部１７に筆記具等を入れて保管すれば、ラベルとともに使用する頻度の高い筆記具を常に一緒に保管しておくことができる。もちろん、ポケット部１７には、ラベル領域１や筆記具以外の予定に関するメモや、払込票等の他の関連物を入れることもできる。また、第一シート材１０、粘着層１１、剥離層１２、第二シート材２０の層構造も容易に形成できる態様となっており、製造も容易である。
【００３０】
〔第二実施形態〕
次いで、本発明の第二実施形態を図７〜１１を参照しながら説明する。図７は、本実施形態に係るラベルシートＸ２の平面図、図８は、裏面図である。図９は、図７及び図８に示されるＧ、Ｈ、Ｉ、Ｊの各横断面を示す図であり、図１０は、図７におけるＫ、Ｌ、Ｋ’の各縦断面を示す図である。また、図１１は、第二粘着層１８の範囲を説明するための第二シート材２０の裏面側からみた図である。なお、図１１において、図７及び図８に示される英大文字の符号で示される各断面箇所に一致する箇所には、対応する英小文字の符号を記している。
【００３１】
第二実施形態に係るラベルシートＸ２は、第一シート材１０と第二シート材２０と第三シート材３０が積層一体化されシート状をなしている。この第二実施形態のラベルシートＸ２は、第一実施形態とは異なり、ラベル領域とポケット領域とが平面的に領域分けされておらず、第一シート材１０と第二シート材２０との積層構造によって主にラベル機能が構成され、第二シート材２０と第三シート材３０との層構造によって主にポケット機能が構成される。また、各シート１０，２０，３０の積層は、第一シート材１０と第二シート材２０との間の第一粘着層１１、第二シート材２０と第三シート材３０との間の第二粘着層１８とによって主になされている。
【００３２】
第二実施形態のラベルシートＸ２おける第一シート材１０、第二シート材２０及び第三シート材３０は、クラフト紙、上質紙、グラシン紙、パーチメント紙、レーヨン紙、コート紙、合成紙、樹脂フィルムがラミネートされた紙等とすることができる。但し、第一〜第三の各シート材の種類は同一である必要はない。
【００３３】
第二実施形態のラベルシートＸ２における第一シート材１０は、上記第一実施形態のラベルシートＸ１と同様に、第一シート材１０にミシン目線やスリット線等の他の部分から分離可能とする分離可能線４で囲まれる複数のラベル部５，５…が形成されており、また、特に、図９のＨ-Ｈ断面、図１０のＬ-Ｌ断面に示されるとおり、このラベル部５，５…が形成されている部分が、第一シート材１０、第一粘着層１１、剥離層１２、第二シート材２がこの順の配置された層構造を有している。したがって、前記ラベル部５，５…を、前記分離可能線４によって分離した際には、第一粘着層１１と剥離層２０との間で剥離され、一方面が第一粘着層１１に基づく粘着性を示すラベルが得られる。本実施形態に係るラベル部５，５…にも、カレンダー等に記録しておきたい各種情報が予め印刷されるなどされる。
【００３４】
他方、本実施形態のラベルシートＸ２は、特に、第三シート材３０の大きさが第二シート材２０よりも小さく、第二シート材２０と第三シート材３０との少なくとも一つの縁が一致しない態様で積層され、第一シート材１０と第二シート材２０の縁部が第三シート材３０の縁３１より延出する延出部２２を有している。この延出部２２においては、第一シート材１０、前記第一粘着層１１、前記剥離層１２、第二シート材２０の順に配置された層構造となっている。そして、本実施形態のラベルシートＸ２では、この延出部２２に、ミシン目線やスリット線等の第二シート材分離線６が形成されている。図示の形態の第二シート材分離線６は、延在部２２の一方縁から他方縁に至るようにして形成され、ラベルシートＸ２の一方縁の全部及びその縁に連なる二方の縁の一部と前記第二シート材分離線６で囲まれる範囲が他の部分から分離し、かつ、前記第一粘着層１１と前記剥離層１２との間で剥離されるようになっている。そして、この延在部２２の一部又は全部が剥離されることで、当該部分において第一粘着層１１が露出され、この露出された第一粘着層１１を介して対象物に対して貼付可能となるようになる。なお、第二シート材分離線６は、必ずしも図示のように設ける必要はなく、延出部２２において環状に形成したり、二本並行に形成してもよい。この場合、延在部２２の一部が剥離されて第一粘着層１１が露出される。この態様でも第一粘着層１１が露出されるのでカレンダー等に貼付することができる。なお、第二シート材分離線６によって分離される部分と重なる第一シート材１０の部分には、ラベル部５,５…が位置しないようになっている。
【００３５】
他方、本実施形態のラベルシートＸ２は、第三シート材３０が第二シート材２０に対してその周縁部２３のみ第二粘着層１８によって接着されており、その周縁の接着部分によって囲まれる空隙１６が形成されて袋状となっている。さらに、前記第一シート材１０から第二シート材２０に至る深さで前記袋状の部分１６に開口を形成する開口形成線７が形成されており、前記袋状の部分１６とでポケット部１７を形成している。
【００３６】
この、本実施形態に係るラベルシートＸ２では、前記第二シート材分離線６での分離によって延出部２２において露出された第一粘着層１１を介して、カレンダー等に貼付することができ、その貼付により、第一シート材１０と第二シート材２０との積層構造によって剥離可能とされるラベル５，５…と、第二シート材２０と第三シート材３０との層構造によって主に形成されるポケット機能が付与される。したがって、カレンダー等に対してラベルシート自体を貼付することになるため、ラベルシートの紛失が防止され、さらに、ポケット部に筆記具等を入れて保管すれば、ラベルとともに使用する頻度の高い筆記具や関連物を常に一緒に保管しておくことができる
【００３７】
ここで、本実施形態に係るラベルシートＸ２は、特に、図９及び図１０に示される断面構造に示されるように、各ラベル部５，５…に粘着性を付与するための第一粘着層１１と、カレンダーに貼付するための延在部２２における第一粘着層１１とが同一の層として形成されている。特に、本実施形態のラベルシートＸ２は、第三シート材３０の存在によってポケット部１７を形成するための第二粘着層１８と第一粘着層１１とを別途に形成するため、第一シート材１０と第二シート材２０との層構造を構成するにあたって、パターン印刷等することなく、第一シート材１０と第二シート材２０との間に全面印刷や全面塗布によって、全面的に第一粘着層１１と剥離層１２を形成して構成することができるという利点を有する。
【００３８】
但し、図示はしないが、第一実施形態のラベルシートＸ１と同様に、第一シート材１０から一部のラベル部５を剥離しようとした際に、意図せず第一シート材１０と第二シート材２０とが全部分で完全に分離してしまわないように、ラベル部５，５…や延在部２２以外の範囲において、剥離層１２を形成しない部位を設け、第一シート材１０と第二シート材２０とが剥離不能に接着される部分を形成してもよい。このように、第一シート材１０との第二シート材２０との間に剥離層１２のない部分を形成することは、適宜の剥離剤を適宜のシート材に対して、パターン印刷すればよい。また、第一シート材１０と第二シート材２０との非剥離部分を形成するのであれば、前記開口形成線７の近傍、特に開口形成線７に沿って形成するのが望ましい。このように非剥離部位を形成すれば、意図せず第一シート材１０と第二シート材２０とが全部分で完全に分離してしまう事故が防止されるとともに、特に、ポケット部１７に物を挿入する際に、開口縁において第一シート材１０と第二シート材２０とが剥離して、物が入れづらくなるということもない。
【００３９】
他方、本実施形態に係るラベルシートＸ２の製造は、例えば、第一シート材１０に全面的又は適宜のパターンで第一粘着層１１を形成し、第二シート材２０に全面的又は適宜のパターンで剥離層１２を形成し、その後に、これらを貼り合せて積層一体化して、第一シート材１０と第二シート材２０との中間積層物を形成する。そして、その後に、分離可能線４、第二シート材分離線６、開口形成線等７を公知のミシン目線形成技術やスリット線形成技術によって形成し、次いで、この中間積層物又は第三シート材３０に第二粘着層１８を適宜の位置に形成して、それらを積層一体化すればよい。第一粘着層１１、第二粘着層１８の形成に用いる粘着剤や剥離層１２の形成に用いる剥離剤は、第一実施形態と同様であり、ホットメルト系、ゴム系、ＥＶＡ系、オレフィン系、ポリエステル系、ポリアミド系、ウレタン系等の粘着剤、シリコーン、長鎖アルキルポリマー、ポリオレフィン、アルキド樹脂、フッ素化合物等の剥離剤が例示できる。
【００４０】
〔第三実施形態〕
次いで、本発明の第三実施形態を図１２〜１６を参照しながら説明する。図１２は、本実施形態に係るラベルシートＸ３の平面図、図１３は、裏面図である。図１４は、図１２及び図１３に示されるＭ、Ｎ、Ｏ、Ｐの各横断面を示す図であり、図１５は、図１２におけるＱ、Ｒ、Ｑ’の各縦断面を示す図である。また、図１６は、第二粘着層１８の範囲を説明するための第二シート材３０の裏面側からみた図である。なお、図１６において、図１２及び図１３に示される英大文字の符号で示される各断面箇所に一致する箇所には、対応する英小文字の符号を記している。
【００４１】
本実施形態のラベルシートＸ３は、上記第二実施形態のラベルシートＸ２と同様に、第一シート材１０と第二シート材２０と第三シート材３０が積層一体化されシート状をなしているものであり、第一シート材１０と第二シート材２０との積層構造も同一である。第二実施形態のラベルシートＸ２とは、カレンダー等に貼付する第一粘着層１１を露出させるための構造が相違している。以下、第二実施形態のラベルシートＸ２と同様の構成については説明を省略し、主に相違する点を説明する。
【００４２】
本実施形態に係るラベルシートＸ３は、第二シート材２０と第三シート材３０とが第二粘着層１８によって周縁部２３が接着されて袋状にされ、前記第一シート材１０から第二シート材２０に至る深さで袋状の部分１６に開口を形成する開口形成線７が形成されて、ポケット部１７が形成されている。この点は、第二実施形態のラベルシートＸ２と同様である。
【００４３】  本実施形態のラベルシートＸ３では、第二シート材２０と第三シート材３０とが第二粘着層１８によって剥離不能に接着されている周縁部２３の一部分１９に、第三シート材３０から第二シート材２０に至る第二第三シート分離線８が形成されており、この第二第三シート分離線８によって、第二シート材２０及び第三シート材３０の一部が一体的に分離されることで、前記第一粘着層１１の一部が露出され、この露出された第一粘着層１１を介して対象物に対して貼付可能となるようになっている（図中、第二第三シート分離線で剥離される部分は符号１９で示される）。
【００４４】
すなわち、本実施形態のラベルシートＸ３は、第二シート材２０と第三シート材３０とが第二粘着層１８で剥離不能に接着されている部分が、第一シート材１０、第一粘着層１１、剥離層１２、第二シート材２０、第二粘着層１８、第三シート剤３０の順に配置された層構造となっているため、第二シート材２０と第三シート材３０とが第二粘着層１８によって剥離不能であるとともに、第二シート材２０が、第一粘着層１１と剥離層１２との間で第一シート材１０から剥離可能であり、この部分を第二第三シート材分離線８によって他の部分から分離させるようにすることで、第一粘着層１１が露出されるようになっている。
【００４５】
この第三実施形態に係るラベルシートＸ３は、第一シート材１０、第二シート材２０、第三シート材３０の大きさを一致させて形成することができ、もって段差のない表裏平面的なシートとすることができる利点がある。例えば、インクジェットプリンタ等で、何らかの印刷したい場合など、紙詰まりなどがし難くなるという利点がある。
【００４６】
〔第四実施形態〕
次いで、本発明の第四実施形態を図１７〜２２を参照しながら説明する。図１７は、本実施形態に係るラベルシートＸ４の平面図、図１８は、裏面図である。図１９は、図１７及び図１８に示されるＳ、Ｔ、Ｔ’、Ｕの各横断面を示す図であり、図２０は、図１７におけるＶ、Ｗ、Ｖ’の各縦断面を示す図である。また、図２１は、粘着層１１の範囲を説明するための第一シート材１０の裏面側からみた図であり、図２２は、剥離層１２の範囲を説明するための第二シート材２０の表面側からみた図である。なお、図２１及び図２２において、図１７及び図１８に示される英大文字の符号で示される各断面箇所に一致する箇所には、対応する英小文字の符号を記している。
【００４７】
第四実施形態に係るラベルシートＸ４は、第一実施形態のラベルシートＸ１と同様に、第一シート材１０と第二シート材２０とが積層一体化されシート状をなしており、また、ラベル領域１とポケット領域２とを有し、これらが切り離し線３を介して連接されている。この第四実施形態に係るラベルシートＸ４は、第一実施形態のラベルシートＸ１の変形例であり、そのポケット領域２の構造が異なっている。以下、第一実施形態と同様の構成については説明を省略し、主に相違する点を説明する。
【００４８】
第四実施形態のラベルシートＸ４は、特に、図１８の裏面図、図２０の各縦断面図に示されるように、第二シート材２０が第一シート材１０よりも小さく、第一シート材１０の一部に第二シート材２０が積層されており、ラベル領域１は、その第一シート材１０と第二シート材２０との積層された部分となっている。このラベル領域１の構造は、第一実施形態のラベルシートＸ１と同様である。
【００４９】
一方、第四実施形態のラベルシートＸ４のポケット領域２は、第一シート材１０の第二シート材２０が重ねられていない部分２４が第二シート材２０側に折り返され、その折り返し部分２５の折り返し縁２６以外の縁部２７,２７が前記粘着層１１によって接着されることで袋状にされているとともに、第一シート材１０の折り返し部分２５に対面する部分に開口形成線７が形成されてポケット部１７が形成されている。
【００５０】
他方で第四実施形態のラベルシートＸ４のポケット領域２は、第二シート材２０の縁２８が、前記切り離し線３と第一シート材１０の折り返し部分２５の折り返し先端縁２９との間に位置するように構成されており、その切り離し線３と前記第二シート材２０の縁２８との間の部分３２は、第一シート材１０、粘着層１１、剥離層１２、第二シート材２０がこの順に配置された層構造となっている。
【００５１】
したがって、この第四実施形態のラベルシートＸ４は、ラベル領域１とポケット領域２とを切り離し線３で分離した後には、前記切り離し線３と前記第二シート材２０の縁２８との間の部分３２を、粘着層１１と剥離層１２との間で剥離して分離除去することが可能となり、このようにすると切り離し線３と前記第二シート材２０の縁２８との間の部分３２に位置していた粘着層１１が露出され、この露出された粘着層１１を介してカレンダー等の対象物に対して貼付可能となる。
【００５２】
この第四実施形態に係るラベルシートＸ４は、特に、図１９及び図２０に示される断面構造、図２１及び図２２の粘着層１１及び剥離層１２の領域から明らかなとおり、ラベル領域１において各ラベルに粘着性を付与するための粘着層１１と、ポケット領域２においてこれをカレンダーに貼付するための粘着層１１と、ポケット部を形成するために第一シート材１０の折り返し部分２５を接着するための粘着層１１とを、同一の層として形成することができ、また、ラベル領域１において各ラベル部５,５…を剥離可能にするための剥離層１２と、前記第二シート材２０の縁部３２を剥離可能にするための剥離層１２とを同一の層として形成することができ、製造が容易である。
【００５３】
また、第四実施形態のラベルシートＸ４は、開口形成線７との位置関係で、第一シート材１０の折り返し縁２６がポケット部１７の袋底となるようにすると、ポケット部１７の底が第一シート材と第二シート材との粘着層による二枚貼り合せで構成するよりも強度を確保しやすく、第一実施形態の第二シート材分離線６の形成が不要になるという利点がある。
【００５４】
〔第五実施形態〕
次いで、本発明の第五実施形態を図２３〜２９を参照しながら説明する。図２３は、本実施形態に係るラベルシートＸ５の平面図、図２４は、裏面図である。図２５は、図２３及び図２４に示されるＸ、Ｙ、Ｙ’、Ｚの各横断面を示す図であり、図２６は、図２３におけるＩＩ、ＩＩＩ、ＩＩ’の各縦断面を示す図である。また、図２７は、粘着層３３の範囲を説明するための第一シート材１０の表面側からみた図であり、図２８は、粘着層１１の範囲を説明するための第一シート材１０の裏面側からみた図である。図２９は、剥離層１２の範囲を説明するための第二シート材２０の表面側からみた図である。なお、図２７〜図２９において、図２３及び図２４に示される英大文字の符号で示される各断面箇所に一致する箇所には、対応する英小文字の符号を記している。
【００５５】
第五実施形態に係るラベルシートＸ５は、第一実施形態のラベルシートＸ１及び第四実施形態のラベルシートＸ４と同様に、第一シート材１０と第二シート材２０とが積層一体化されシート状をなしており、また、ラベル領域１とポケット領域２とを有し、これらが切り離し線３を介して連接されている。この第五実施形態に係るラベルシートＸ５は、第四実施形態のラベルシートＸ４の変形例であり、そのポケット領域２の構造が異なっている。以下、第一実施形態及び第四実施形態と同様の構成については説明を省略し、主に相違する点を説明する。
【００５６】  第五実施形態のラベルシートＸ５は、特に、図２４の裏面図、図２６の各縦断面図に示されるように、第二シート材２０が第一シート材１０よりも小さく、第一シート材１０の一部に第二シート材２０が積層されており、ラベル領域１は、その第一シート材１０と第二シート材２０との積層された部分となっている。このラベル領域１の構造は、第一実施形態及び第四実施形態と同様である。
【００５７】
一方、第五実施形態のラベルシートＸ５のポケット領域２は、第一シート材１０の第二シート材２０が重ねられていない部分２４が第二シート材２０と反対面側に折り返されているとともに、その折り返し部分２５の折り返し縁２６以外の縁部２７,２７が第一シート材１０と第二シート材２０との間の粘着層１１とは別の他の粘着層３３によって接着されて、前記第一シート材１０の折り返し部分２５の折り返し先端縁２７を開口とする三方閉じの袋状に形成されてポケット部１７が形成されている。
【００５８】
他方で第五実施形態のラベルシートＸ５のポケット領域２は、ラベル領域１を形成する第二シート材２０の縁２８が、切り離し線３を超えて位置して、切り離し線３近傍に第一シート材１０と第二シート材２０との積層領域が形成されている。この第二シート材２０の縁２８と切り離し線３との間の部分３２が、ラベル領域１に続いて第一シート材１０、粘着層１１、剥離層１２、第二シート材２０がこの順に配置された層構造とされている。したがって、ラベル領域１とポケット領域２とを切り離し線３で分離した後に、前記切り離し線３と前記第二シート材２０の縁２８との間の部分３２が、前記粘着層１１と前記剥離層１２との間で剥離して分離除去することが可能であり、この部分３２を分離除去することで、切り離し線３と前記第二シート材２０の縁２８との間の部分３２に位置していた粘着層１１が露出され、この露出された粘着層１１を介してカレンダー等の対象物に対して貼付可能となる。
【００５９】
この第五実施形態のラベルシートＸ５も、第一シート材１０の折り返し縁２６がポケット部１７の袋底となるため、第四実施形態のラベルシートＸ４と同様にポケット部１７の底が第一シート材と第二シート材との粘着層による二枚貼り合せで構成するよりも強度を確保しやすく、第一実施形態の第二シート材分離線６の形成が不要になるという利点がある。さらに、第五実施形態のラベルシートＸ５は、第一シート材１０の折り返し部分２５の折り返し先端縁２９が開口を形成することになるため、ポケット部１７とするためにミシン目線やスリット線等の開口形成線７を形成する必要がないという利点がある。
【符号の説明】
【００６０】
Ｘ１〜Ｘ５…ラベルシート、１…ラベル領域、２…ポケット領域、３…切り離し線、４…分離可能線、５…ラベル部、６…第二シート材分離線、７…開口形成線、８…第二第三シート分離線、１０…第一シート材、１１…粘着層（第一粘着層）、１２…剥離層、１３…ラベル領域の周縁部、１４…第二シート材分離線６と切り離し線３との間の部分、１５…ポケット領域の周縁部、１６…袋部分（空隙）、１７…ポケット部、１８…第二粘着層、２０…第二シート材、２２…延出部、２３…第三シート材の周縁部、２４…第一シート材の第二シート材が重ねられていない部分、２５…第一シート材の折り返し部分、２６…折り返し縁、２７…折り返し縁以外の縁部、２８…第二シート材の縁、２９…折り返し先端縁、３０…第三シート材、３１…第二シート材の縁、３２…切り離し線と第二シート材の縁との間の部分、３３…ラベルシートＸ５の他の粘着層。
【図１】
0006490463.tif 000002
【図２】
0006490463.tif 000003
【図３】
0006490463.tif 000004
【図４】
0006490463.tif 000005
【図５】
0006490463.tif 000006
【図６】
0006490463.tif 000007
【図７】
0006490463.tif 000008
【図８】
0006490463.tif 000009
【図９】
0006490463.tif 000010
【図１０】
0006490463.tif 000011
【図１１】
0006490463.tif 000012
【図１２】
0006490463.tif 000013
【図１３】
0006490463.tif 000014
【図１４】
0006490463.tif 000015
【図１５】
0006490463.tif 000016
【図１６】
0006490463.tif 000017
【図１７】
0006490463.tif 000018
【図１８】
0006490463.tif 000019
【図１９】
0006490463.tif 000020
【図２０】
0006490463.tif 000021
【図２１】
0006490463.tif 000022
【図２２】
0006490463.tif 000023
【図２３】
0006490463.tif 000024
【図２４】
0006490463.tif 000025
【図２５】
0006490463.tif 000026
【図２６】
0006490463.tif 000027
【図２７】
0006490463.tif 000028
【図２８】
0006490463.tif 000029
【図２９】
0006490463.tif 000030